(57)【特許請求の範囲】
【請求項１】
第１のバスバー（５０２）と、
第２のバスバー（７０８）と、
前記第１のバスバー（５０２）と接続された第１の半導体パワーデバイス（５０４）と、
前記第１のバスバー（５０２）と接続された１つ以上の第２の半導体パワーデバイス（５０６）と、前記第１のバスバー（５０２）と接続された第１のハウジング（５０８）と、
を備え、
前記第１の半導体パワーデバイス（５０４）が、前記第１のハウジング（５０８）内に収納されており、
前記第１のハウジング（５０８）が、前記第１の半導体パワーデバイス（５０４）の破損物質を前記１つ以上の第２の半導体パワーデバイス（５０６）から離れる方向に向かわせるように構成された第１の出口（５１０）を備え、
前記第１のバスバー（７０２）が、
平面状の第１の上面（７３４）および前記第１の上面（７３４）の反対側の平面状の第１の底面（７３６）を有する第１の平面状の床（７１０）と、
ライザ部（７１２）であって、前記ライザ部（７１２）の第１の縁（７１４）において前記第１の平面状の床（７１０）にくっついており、前記第１の平面状の床（７１０）に対してゼロ度以外の角度（７１６）を付けられているライザ部（７１２）と、
平面状の第２の上面（７３８）および前記第２の上面（７３８）の反対側の平面状の第２の底面（７４０）を有する第２の平面状の床（７１８）であって、前記第２の平面状の床（７１８）が、前記ライザ部（７１２）の第２の縁（７２０）にくっついており、前記第２の縁（７２０）が、前記第１の縁（７１４）と平行であり、前記第２の平面状の床（７１８）が、前記第２の平面状の床（７１８）が前記第１の平面状の床（７１０）と平行になるように前記ゼロ度以外の角度（７１６）を付けられている第２の平面状の床（７１８）と、
を備え、
前記第２のバスバー（７０８）が、前記第１のバスバー（７０２）の前記第２の平面状の床（７１８）の前記第２の底面（７４０）に取り付けられ、前記第１の平面状の床（７１０）と平行に延びて、
前記第２のバスバー（７０８）の上面（７４２）および前記第１のバスバー（７０２）の前記第１の底面（７３６）が、前記第２のバスバー（７０８）と前記第１のバスバー（７０２）との間に空間（７２２）を形成しており、
前記第１の半導体パワーデバイス（７０４）、前記第１のハウジング（７０６）、および前記１つ以上の第２の半導体パワーデバイス（７２４、７２６）が、前記第１のバスバー（７０２）の前記第１の上面（７３４）に取り付けられている、
電力供給システム（５００）。
【請求項２】
前記第１の半導体パワーデバイス（５０４）が、絶縁ゲートバイポーラトランジスタを備える、請求項１に記載の電力供給システム（５００）。
【請求項３】
前記１つ以上の第２の半導体パワーデバイス（５０６）が、前記第１のハウジング（５０８）内に収納されている、請求項１または２に記載の電力供給システム（６００）。
【請求項４】
前記第１のバスバー（５０２）と接続された１つ以上の第２のハウジング（５１２）をさらに備え、前記１つ以上の第２の半導体パワーデバイス（５０６）が、前記１つ以上の第２のハウジング（５１２）内に収容されている、請求項１または２に記載の電力供給システム（５００）。
【請求項５】
複数の前記第２の半導体パワーデバイス（５０６）および複数の前記第２のハウジング（５１２）を備え、前記第２の半導体パワーデバイス（５０６）が、それぞれ個別に前記第２のハウジング（５１２）内に収容されている、請求項４に記載の電力供給システム（５００）。
【請求項６】
前記１つ以上の第２のハウジング（５１２）のそれぞれが、前記第１の半導体パワーデバイス（５０４）および前記１つ以上の第２のハウジング（５１２）の他の前記第２の半導体パワーデバイス（５０６）から離れる方向に破損物質を向かわせるように構成されたそれぞれの第２の出口（５１４）を備える、請求項４または５に記載の電力供給システム（５００）。
【請求項７】
前記第１のハウジング（５０８）および前記１つ以上の第２のハウジング（５１２）が、ガラス繊維強化ポリエステル材料を含む、請求項４から６のいずれかに記載の電力供給システム（５００）。
【請求項８】
前記第１の半導体パワーデバイス（７０４）および前記１つ以上の第２の半導体パワーデバイス（７２４、７２６）が、それぞれのファスナ（７２８、７３２）によって前記第１のバスバー（７０２）に取り付けられており、前記ファスナの部分（７３０）が、前記第１のバスバー（７０２）の前記第１の底面（７３６）を貫通して、前記第２のバスバー（７０８）と前記第１のバスバー（７０２）との間に形成された空間（７２２）内に延在している、請求項１から７のいずれかに記載の電力供給システム（７００）。
【請求項９】
前記第１のハウジング（５０８）が、ガラス繊維強化ポリエステル材料を含む、請求項１から８のいずれかに記載の電力供給システム（５００）。
【請求項１０】
前記第１のハウジング（５０８）と、前記第１の出口（５１０）と、前記第１の半導体パワーデバイス（５０４）が接続された前記第１のバスバー（７０２）の上面とが、前記第１の半導体パワーデバイス（５０４）から前記第１のハウジング（５０８）の外部まで、および、前記１つ以上の第２の半導体パワーデバイス（５０６）から離れる方向に前記破損物質を誘導するための、前記第１の半導体パワーデバイス（５０４）から前記第１のハウジング（５０８）の外部まで延在する通路を協働して形成している、請求項１から９のいずれかに記載の電力供給システム（５００）。
【請求項１１】
乗り物プラットフォーム（１０１）と、
前記乗り物プラットフォーム（１０１）に取り付けられたエンジン（１０３）と、
前記エンジン（１０３）に取り付けられたオルタネータ（１０５、２０２）であって、前記エンジン（１０３）によって機械的に駆動されたときに電気を生成するように構成されたオルタネータ（１０５、２０２）と、
前記乗り物プラットフォーム（１０１）に取り付けられたモータ（２１０）と、
請求項１から１０のいずれかに記載の電力供給システム（５００）を備える電力コンバータ（２０８）であって、前記モータ（２１０）に給電するために前記電気を変換するように構成された電力コンバータ（２０８）と、
を備える乗り物（１００）。
【請求項１２】
第１のバスバー（７０２）と、
前記第１のバスバー（７０２）と接続された第１の半導体パワーデバイス（７０４）と、
平面状の第２のバスバー（７０８）と、
を備え、
前記第１のバスバー（７０２）が、
第１の平面状の床（７１０）と、
ライザ部（７１２）であって、前記ライザ部（７１２）の第１の縁（７１４）において前記第１の平面状の床（７１０）にくっついており、前記第１の平面状の床（７１０）に対してゼロ度以外の角度（７１６）を付けられたライザ部（７１２）と、
前記ライザ部（７１２）の第２の縁（７２０）にくっついている第２の平面状の床（７１８）であって、前記第２の縁（７２０）が、前記第１の縁（７１４）と平行であり、前記第２の平面状の床（７１８）が、前記第２の平面状の床（７１８）が前記第１の平面状の床（７１０）と平行になるように前記ゼロ度以外の角度（７１６）を付けられている第２の平面状の床（７１８）と、
を備え、
前記第２のバスバー（７０８）が、前記第１のバスバー（７０２）の前記第２の平面状の床（７１８）に取り付けられており、前記第１の平面状の床（７１０）と平行に延び、
前記第２のバスバー（７０８）および前記第１のバスバー（７０２）が、前記第２のバスバー（７０８）と前記第１のバスバー（７０２）との間に空間（７２２）を形成して、前記第１の半導体パワーデバイス（７０４）が、前記第２のバスバー（７０８）の平面の上方に離間されて位置する、
電力供給システム（７００）。
【請求項１３】
前記第１のバスバー（７０２）と接続された第１のハウジング（７０６）をさらに備え、前記第１の半導体パワーデバイス（７０４）が、前記第１のハウジング（７０６）内に収納されている、請求項１２に記載の電力供給システム（７００）。
【請求項１４】
前記第１のハウジング（７０６）が、ガラス繊維強化ポリエステル材料を含む、請求項１３に記載の電力供給システム（７００）。
【請求項１５】
前記第１のバスバー（７０２）と接続された１つ以上の第２の半導体パワーデバイス（７２４、７２６）をさらに備え、前記第１のハウジング（７０６）が、前記１つ以上の第２の半導体パワーデバイス（７２４、７２６）から離れる方向に破損物質を向かわせるように構成された第１の出口（７４４）を備え、前記破損物質が、前記第１の半導体パワーデバイス（７０４）の破損によって生成される、請求項１３または１４に記載の電力供給システム（８００）。
【請求項１６】
前記第１のバスバー（７０２）の前記第１の平面状の床（７１０）が、平面状の第１の上面（７３４）および前記第１の上面（７３４）の反対側の平面状の第１の底面（７３６）を有し、
前記第２の平面状の床（７１８）が、平面状の第２の上面（７３８）および前記第２の上面（７３８）の反対側の平面状の第２の底面（７４０）を有し、
前記第２のバスバー（７０８）が、前記第１のバスバー（７０２）の前記第２の平面状の床（７１８）の前記第２の底面（７４０）に取り付けられており、
前記第２のバスバー（７０８）の上面（７４２）および前記第１のバスバー（７０２）の前記第１の底面（７３６）が、前記第２のバスバー（７０８）と前記第１のバスバー（７０２）との間に空間（７２２）を形成しており、
前記第１の半導体パワーデバイス（７０４）が、前記第１のバスバー（７０２）の前記第１の上面（７３４）に取り付けられている、
請求項１２から１５のいずれかに記載の電力供給システム（７００）。
【請求項１７】
乗り物プラットフォーム（１０１）と、
前記乗り物プラットフォーム（１０１）に取り付けられたエンジン（１０３）と、
前記エンジン（１０３）に取り付けられたオルタネータ（１０５、２０２）であって、前記エンジン（１０３）によって機械的に駆動されたときに電気を生成するように構成されたオルタネータ（１０５、２０２）と、
前記乗り物プラットフォーム（１０１）に取り付けられたモータ（２１０）と、
請求項１２から１６のいずれかに記載の電力供給システム（７００）を備える電力コンバータ（２０８）であって、前記モータ（２１０）に給電するために前記電気を変換するように構成された電力コンバータ（２０８）と
を備える乗り物（１００）。
【請求項１８】
電力供給システム（３００）であって、
複数の第１のバスバー（３０６）と、
平面状の第２のバスバー（３０２）と、
を備え、
前記第１のバスバー（３０６）が、
それぞれの第１の平面状の床（７１０）と、
ライザ部（７１２）であって、前記ライザ部（７１２）の第１の縁（７１４）において前記第１の平面状の床（７１０）にくっついており、前記第１の平面状の床（７１０）に対してゼロ度以外の角度（７１６）を付けられたライザ部（７１２）と、
前記ライザ部（７１２）の第２の縁（７２０）にくっついている第２の平面状の床（７１８）であって、前記第２の縁（７２０）が、前記第１の縁（７１４）と平行であり、前記第２の平面状の床（７１８）が、前記第２の平面状の床（７１８）が前記第１の平面状の床（７１０）と平行になるように前記ゼロ度以外の角度（７１６）を付けられた第２の平面状の床（７１８）と、
を備え、
前記複数の第１のバスバー（３０６）は、前記第１のバスバー（３０６）の前記第１の平面状の床（７１０）が、前記第２のバスバー（３０２）と平行になり、前記第２のバスバー（３０２）からずれるように、前記第１のバスバー（３０６）の前記第２の平面状の床（７１８）と前記第２のバスバー（７０８）との接続によって前記第２のバスバー（３０２）に取り付けられており、
前記第２のバスバー（７０８）は前記第１の平面状の床（７１０）と平行に延びて、前記第２のバスバー（７０８）の上面と前記第１の平面状の床（７１０）との間に空間（７２２）を形成し、
前記電力供給システム（３００）が、それぞれが前記第１のバスバー（３０６）の前記第１の平面状の床（７１０）と接続された複数の半導体パワーデバイスをさらに備え、前記複数の半導体パワーデバイスが、前記第２のバスバー（７０８）の平面の上方に離間されて位置する、
電力供給システム（３００）。
【請求項１９】
それぞれが前記第１のバスバー（３０６）の前記第１の平面状の床（７１０）と接続された複数のハウジング（３０４）をさらに備え、前記複数の半導体パワーデバイスがそれぞれ、前記複数のハウジング（３０４）内に収容されており、前記複数のハウジング（３０４）が、前記半導体パワーデバイスの破損物質を他の前記半導体パワーデバイスから離れる方向に向かわせるように構成されたそれぞれの出口（７４４）を備える、請求項１８に記載の電力供給システム（３００）。
【請求項２０】
前記第１のバスバー（３０６）は、前記第１のバスバー（３０６）の長軸が前記第２のバスバー（３０２）の長軸に対して垂直になるように前記第２のバスバー（３０２）に沿って配列されている、請求項１８または１９に記載の電力供給システム（３００）。
【発明の詳細な説明】
【技術分野】
【０００１】
本発明の実施形態は、パワーエレクトロニクスシステムに関する。他の実施形態は、例えば搭載物を駆動するためにある電圧波形を別の電圧波形に変換するためのインバータおよび他のパワーエレクトロニクスシステムに関する。
【背景技術】
【０００２】
多くの乗り物では、推進目的で電気モータが利用されている。例えば、オフハイウェイ乗り物は、電気を生成するためのエンジンと、牽引力を生成するための１つ以上のモータと、生成された電気を、１つ以上のモータに給電するのに適した形態に変換するための電力供給システムとを含み得る。（オフハイウェイ乗り物は、自動車による主な使用に指定された道路上で使用するための乗り物ではない。オフハイウェイ乗り物の例は、機関車および他の軌条車両、船舶、鉱業用運搬トラック（ｍｉｎｉｎｇ  ｈａｕｌ  ｔｒｕｃｋ）、および他の重量のある採鉱装置または建設機械などを含む。）自動車およびバスのようなオンハイウェイ乗り物などの他の乗り物も、同様の装備を有し得る。
【０００３】
電力供給システムは、一般的に、電気をある波形から別の波形に（例えば、ＡＣからＤＣに（交流から直流に）、ＤＣからＤＣに、およびＡＣからＤＣに、このＤＣからＡＣに、等々）変換するための半導体パワーデバイスを含む。例えば、パワーダイオードは、ＡＣからＤＣに変換する整流器として配置され得る。パワートランジスタは、ＤＣからＡＣに変換するために、インバータとして配置され、コントローラによって制御可能に切り替えられ得る。半導体パワーデバイスの不具合または破損の場合、ガス、破片、およびプラズマなどの破損物質（ｆａｉｌｕｒｅ  ｍａｔｅｒｉａｌ）が、逃れ出て、電力供給システム内の他の部品を損傷させ得る。破損物質は、破損が電力供給システムの全体にわたって連鎖する原因となり得る。結果的に、電力供給システム内の一箇所の破損が、電力供給システム全体の破損の原因となり得る。
【０００４】
したがって、現在利用可能な電力供給システムとは異なる電力供給システムを用意することが望ましい場合がある。
【先行技術文献】
【特許文献】
【０００５】
【特許文献１】米国特許出願公開第２００９／２５０７９９号明細書
【発明の概要】
【０００６】
実施形態は、電力供給システム（例えば、乗り物においてある電力波形を別の電力波形に変換するためのシステム）に関する。電力供給システムは、第１のバスバーと、第１のバスバーと接続された複数の半導体パワーデバイスと、第１のハウジングとを備える。（本発明の説明のために異なる半導体パワーデバイスを区別するために、複数の半導体パワーデバイスは、「第１の」半導体パワーデバイスおよび１つ以上の「第２の」半導体パワーデバイスを含むものとして特徴付けられてもよい。）第１のハウジングは、第１のバスバーと接続されており、第１の半導体パワーデバイスは、第１のハウジング内に収納されている。第１のハウジングは、第１の半導体パワーデバイスの破損物質を１つ以上の第２の半導体パワーデバイスから離れる方向に向かわせるように構成された第１の出口を備える。より具体的には、電力供給システムの動作中に、第１の半導体パワーデバイスが破損した場合、破損に起因して第１の半導体パワーデバイスによって生成される破損物質は、第１の出口を通過して外へ、１つ以上の第２の半導体パワーデバイスから離れる方向に誘導される。このように、本発明の一態様によれば、１つのデバイスの破損は、破損物質と他のデバイスとの相互作用に起因する他のデバイスの連鎖的な破損をもたらさない。
【０００７】
別の実施形態は、第１のバスバーと、第１のバスバーと接続された第１の半導体パワーデバイスと、第２のバスバーとを備える電力供給システムに関する。第１のバスバーは、第１の平面状の床と、ライザ部であって、該ライザ部の第１の縁において第１の平面状の床にくっついており、第１の平面状の床に対してゼロ度以外の角度を付けられたライザ部と、ライザ部の第２の縁にくっついている第２の平面状の床とを備える。（第２の縁は、第１の縁と平行である。）第２の平面状の床は、第２の平面状の床が第１の平面状の床と平行になるようにゼロ度以外の角度を付けられている。第２のバスバーは、第１のバスバーの第２の平面状の床に取り付けられており、第１の平面状の床と平行である。これにより、第２のバスバーおよび第１のバスバーは、これらの間に空間を形成している。実施形態において、この空間には、半導体パワーデバイスと第１のバスバーおよび／または第２のバスバーとを接続するために使用されるファスナが収まる。これにより、以前のシステムに比べてよりコンパクトなマルチバスバーの電力供給システムが実現される。さらに、第１のバスバーによって、第１の半導体パワーデバイスは、第２のバスバーの平面の上方に実質的に配置され、これにより、電力供給システムの他の部品から離れる方向への破損物質の誘導が容易になる。すなわち、破損物質が、第２のバスバーから離れた位置で放出されるため、第２のバスバーとの相互作用に起因して上方または他の方向に移動することが起こりにくくなると考えられる。
【０００８】
すぐ上で説明されたような、２つのバスバーを有する電力供給システムの別の実施形態では、電力供給システムは、第１のバスバーと接続された第１のハウジングをさらに備え、第１の半導体パワーデバイスが、第１のハウジング内に収納されている。第１のハウジングは、第１の半導体パワーデバイスの破損物質を電力供給システムの他の半導体パワーデバイスから離れる方向に誘導するための上述したような出口を備えてもよい。
【０００９】
別の実施形態は、複数の第１のバスバーおよび第２のバスバーを備える電力供給システムに関する。第１のバスバーは、それぞれの第１の平面状の床と、ライザ部であって、該ライザ部の第１の縁において第１の平面状の床にくっついており、第１の平面状の床に対してゼロ度以外の角度を付けられたライザ部と、ライザ部の第２の縁にくっついている第２の平面状の床とを備える。第２の縁は、第１の縁と平行である。第２の平面状の床は、第２の平面状の床が第１の平面状の床と平行になるようにゼロ度以外の角度を付けられている。複数の第１のバスバーは、第１のバスバーの第１の平面状の床が、第２のバスバーと平行になり、第２のバスバーからずれるように、第１のバスバーの第２の平面状の床と第２のバスバーとの接続によって第２のバスバーに取り付けられている。電力供給システムは、それぞれが第１のバスバーの第１の平面状の床と接続された複数の半導体パワーデバイスをさらに備える。
【００１０】
本発明のこれらのおよび他の特徴、態様、および利点は、以下の詳細な説明が添付図面を参照しながら読まれるときにより良く理解されるようになる。なお、図面の全体にわたって、同じ符号は、同じ部分を示している。
【図面の簡単な説明】
【００１１】
【図１】実施形態に係るディーゼル電気機関車のブロック図である。
【図２】実施形態に係る電力供給システムのブロック図である。
【図３】実施形態に係る電力供給システムの部分を示す斜視図である。
【図４】実施形態に係る電力供給システムの部分を示す側面図である。
【図５】本発明の実施形態に係る電力供給システムの斜視図である。
【図６】本発明の実施形態に係る電力供給システムの斜視図である。
【図７】実施形態に係る電力供給システムを示す概略側面図である。
【図８】実施形態に係る電力供給システムの部分を示す概略側面図であり、点線によって内部の特徴が示されている。
【発明を実施するための形態】
【００１２】
本発明の実施形態は、乗り物においてある電力波形を別の電力波形に変換するためのシステムなどの電力供給システムに関する。電力供給システムは、第１のバスバーと、第１のバスバーと接続された複数の半導体パワーデバイスと、第１のハウジングとを備える。一態様によれば、第１のハウジングは、半導体パワーデバイスのうちの第１の半導体パワーデバイスの破損物質を半導体パワーデバイスのうちの他の半導体パワーデバイスから離れる方向に向かわせるように構成された第１の出口を備える。これにより、半導体パワーデバイスの１つが破損したときに、電力供給システムの他の半導体パワーデバイスへの損傷が低減されるか、または発生しなくなる。
【００１３】
別の態様によれば、電力供給システムは、代替的または追加的に、第１のバスバーと接続された第２のバスバーを備える。第１のバスバーおよび第２のバスバーは、（例えば）乗り物および空間が限られている他の場所で使用するためにコンパクトなマルチバスバーパッケージを実現するように構成される。例えば、半導体パワーデバイスを取り付けて、電気的に接続するための第１の平面状の床に加えて、第１のバスバーは、第２のバスバーが第１のバスバーと平行になり、一般に第１のバスバーに対向するようにするために、ライザ部および第２のバスバーが取り付けられる第２の平面状の床を含んでもよい。２つのバスバーの間に形成された空間は、ファスナ、冷却空気流などを受け入れる。上で指摘したように、第１のバスバーの構造的配置によって、第１の半導体パワーデバイスは、第２のバスバーの平面の上方に配置されて、これから離間されるようになり、この結果、電力供給システムの他の部品から離れる方向への破損物質の誘導がさらに容易になる。すなわち、破損物質が、第２のバスバーから離れた位置で放出されるため、第２のバスバーとの相互作用に起因して上方または他の意図しない方向に移動することが起こりにくくなると考えられる。
【００１４】
本明細書の任意の実施形態において、第１のバスバーおよび／または第２のバスバーは、積層バスバーであってもよい。積層バスバーは、交互の正極および負極のバスバー層（例えば、略平面状の銅層）を含み、これらは、誘電体絶縁の比較的薄い層によって分離されている。デバイスは、ビア、スルーホール、相互接続層もしくは他の相互接続特徴、または適切に構成されたファスナなどを用いて層と接続される。バスバーは、略平面状であってもよく（または略平面状の部分を少なくとも含んでもよく）、多くの用途のために、電流負荷／電源負荷の観点から比較的高い容量を有してもよい（例えば、数十〜数百アンペアを流すことができてもよい）。
【００１５】
次に図面を参照すると、図１は、本発明の電力供給システムが装備されてもよい乗り物の一例として挙げられたディーゼル電気機関車のブロック図である。軌条車両は、レールまたは同様の固定ルート案内路に沿って移動するように構成された乗り物である。列車の編成は、ルートに沿って移動するように互いに連結された一群の複数の軌条車両である。列車の編成は、１つ以上の動力の付いた軌条車両（自己推進の可能な）および１つ以上の動力の付いていない軌条車両（自己推進の不可能な）を含んでもよい。列車の編成の一例は、１つ以上の機関車（動力の付いた軌条車両）および１つ以上の客車または貨車（動力の付いていない軌条車両）を含む列車である。機関車または他の動力の付いた軌条車両で使用される電力供給システムは、軌条車両本体の範囲内に備えられてもよい。説明を容易にするために、電力供給システムは、機関車本体または他のオフハイウェイ乗り物の限定空間内に備えられたものとして説明される。しかしながら、実施形態は、一般に乗り物に適用可能である。
【００１６】
図１に戻ると、簡略化された部分断面図に示されている乗り物（例えば、機関車）は、通常は参照符号１００によって参照される。乗り物１００は、乗り物プラットフォーム１０１を含み、乗り物プラットフォーム１０１は、乗り物の他の搭載部品を支持するための構造（例えば、金属フレーム）を備える。乗り物は、乗り物プラットフォームに取り付けられたエンジン１０３（内燃機関）およびエンジンと接続されたオルタネータ１０５をさらに備えてもよい。オルタネータ１０５は、エンジンの出力シャフトまたは他の出力によって機械的に駆動されたときに電気を生成するように機能する。図１では見ることのできない複数のトラクションモータは、駆動輪１０２の後ろに配置されており、車軸１０４と駆動関係で接続されている。図１では見ることのできない複数の補助モータは、機関車の様々な位置に配置されており、送風機またはラジエータファンのような様々な補助的な搭載物と接続されている。モータは、ＡＣ電気モータまたはＤＣ電気モータであってもよい。以下で詳細に説明されるように、機関車１００は、本明細書に記載されているような電力供給システム（例えば、モータへの電力を制御するための複数の電気インバータ回路）を含んでもよい。電気インバータ回路は、バスバーを含んでもよく、および／または、バスバーを用いて互いに相互接続されてもよい。例えば、バスバーは、バスバーと接続された電力供給システムの様々な電気部品（半導体スイッチまたは他の半導体パワーデバイスなど）に給電する、ＤＣ電圧用の導電路を形成してもよい。半導体パワーデバイスは、１つ以上のハウジング内に収納されてもよく、また、垂直スタックのバスバーと接続されてもよい。
【００１７】
図２は、実施形態に係る電力供給システムのブロック図である。通常は参照符号２００によって参照される電力供給システムは、図１に示されている機関車などの乗り物１００のための搭載物（１つ以上のモータなど）へのＡＣ電力を制御するために使用されてもよい。電力供給システム２００は、ディーゼルエンジンなどのエンジン（この図には示されていないが、図１の１０３に見られる）によって駆動されるオルタネータ２０２を含んでもよい。オルタネータ２０２のＡＣ電力出力は、界磁制御器２０４によって示されている界磁制御によって調整される。オルタネータ２０２からのＡＣ電力は、１つ以上のインバータまたは他の電力コンバータ２０８（「ＩＮＶ」）と接続された整流器２０６によってＤＣ電力に整流される。インバータまたは他の電力コンバータ２０８は、１つ以上のＡＣモータ２１０（「Ｍ」）への適用のために可変周波数および可変電圧振幅でＤＣ電力をＡＣ電力に変換するためにパワー半導体デバイス（例えば、スイッチとして制御されるパワー半導体トランジスタおよび／またはパワーダイオード）を使用してもよい。あるいは、電力コンバータ２０８は、１つ以上のＤＣモータへの適用のためにあるレベルのＤＣ電力を別のレベルのＤＣ電力に変換するように構成されてもよい。２つのモータが示されているが、乗り物は、ただ１つのモータまたは２つより多くのモータを含んでもよい。例えば、機関車は、４〜６つのＡＣ電気モータまたは４〜６つのＤＣ電気モータを含んでもよく、この場合、これらはそれぞれ、例えば、個別のインバータによって制御される。
【００１８】
パワーダイオード、パワートランジスタ、および他の半導体パワーデバイスは、回路での使用のために配置された１つ以上の半導体材料を含み（例えば、これらは、活性領域におけるダイオードまたはスイッチなどとして機能するために１つ以上の内部半導体接合部および２つ以上の端子を含む）、低電力／小信号電子装置に比べてかなり大きな電力容量を有する（例えば、５０Ｖ〜１０ｋＶにおける５Ａ〜１ｋＡの定格動作対ミリボルト／ミリアンペアの範囲における動作）固体電子装置である。インバータ、他の電力コンバータ、または他の電力供給システムに採用され得る半導体パワーデバイスの例は、数ある中でも、絶縁ゲートバイポーラトランジスタ（ＩＧＢＴ）、逆導通ＩＧＢＴ、およびバイモード絶縁ゲートトランジスタ（ＢＩＧＴ：ｂｉ−ｍｏｄｅ  ｉｎｓｕｌａｔｅｄ  ｇａｔｅ  ｔｒａｎｓｉｓｔｏｒ）を含む。
【００１９】
再び図１を参照すると、電力供給システムは、少なくとも部分的に、乗り物１００の機器室１０６に配置されてもよい。インバータまたは他の電力コンバータ２０８（図２）および界磁制御器２０４（図２）のための制御電子回路ならびに他の電子部品は、機器室１０６内の積層バスバーに配置されてもよい。さらに、機器室１０６内において、電力供給システム（または電力供給システムの部分）は、空冷ヒートシンク１０８に取り付けられてもよい。
【００２０】
指摘したように、電力供給システム（例えば、インバータまたは他の電力コンバータを含む）は、１つ以上の半導体パワーデバイスを含んでもよい。半導体パワーデバイスの不具合の際、半導体パワーデバイスからの破損物質は、機器室１０６内のバスバーと接続された部品の垂直スタックの全体にわたって段階的に移動する可能性がある。（関連する力に起因して、破損物質の移動は、必ずしも重力による下方への移動に限定されず、それどころか、破損物質は、上方、側方などにも移動し得る。）実施形態において、機器室１０６内のバスバーと接続されている他の部品への損傷を制限するために、半導体パワーデバイスは、バスバーと接続されたすべての他の部品から離れる方向にすべての破損物質を向かわせる態様で、バスバーと接続された１つ以上のハウジング内に閉じ込められる。例えば、１つ以上のハウジングのそれぞれは、他の部品から離れる方向に破損物質を向かわせるそれぞれの出口を含んでもよい。例えば、電力供給システムが、ハウジング内の第１の半導体パワーデバイスおよび１つ以上の第２の半導体パワーデバイス（同じハウジング内または他のハウジング内の）を含み、第１の半導体パワーデバイスが破損した場合、第１の半導体パワーデバイスからの破損物質は、１つ以上の第２の半導体パワーデバイスから離れる方向に向かわされる。
【００２１】
図３は、実施形態に係る電力供給システム３００の部分を示す図である。電力供給システム３００は、図１の機器室１０６内に収容されてもよい。電力供給システム３００は、第１のバスバー３０６および第２のバスバー３０２を含む。バスバーは、バスバー３０２、３０６と接続された、電力供給システムの様々な電気部品（電力供給システムのインバータまたは他の電力コンバータ２０８（図２）に使用される半導体パワーデバイスなど）に給電する、ＤＣ電圧用の導電路を形成する積層バスバーであってもよい。第２のバスバー３０２と接続される電気部品は、垂直に積み重ねられてもよい。さらに、半導体パワーデバイスは、それぞれが第１のバスバー３０６と接続された１つ以上のハウジング３０４内に収納されてもよい。複数の半導体パワーデバイスのために１つのハウジングがあってもよいし、または、各半導体パワーデバイスは、それ自体の個別のハウジングを有してもよい。図面には示されていないが、電力供給システムは、１つ以上の銅ヒートシンクもしくは他のヒートシンク、共通のコンデンサバンク、ならびに／または様々な電圧源および通電ケーブルのうちの１つ以上をさらに備えてもよい。電力供給システムの半導体パワーデバイスは、第２のバスバー３０２を介して電圧源からの入力の第１の電圧を受け、搭載物への適用のために出力の第２の電圧を出力するように機能するよう回路に配置されてもよい。例えば、半導体パワーデバイスが、整流器として配置された複数のパワーダイオードの場合、複数のパワーダイオードは、入力の第１の電圧としてＡＣ入力電圧を受け、出力の第２の電圧としてＤＣ出力電圧を（例えば、ＤＣバスに）出力するように構成されてもよい。半導体パワーデバイスが、インバータまたは他の電力コンバータとして配置された複数のパワートランジスタの場合、パワートランジスタは、入力の第１の電圧としてＤＣ入力電圧を受け、モータに給電するために出力の第２の電圧としてＡＣ出力電圧（単相または三相の）を出力するように（例えば）構成されてもよい。インバータまたは他の電力コンバータの場合、電力供給システムは、半導体パワーデバイスと動作可能に接続され、かつ入力電圧を出力電圧に変換するための半導体パワーデバイスを制御可能に切り替えるように（周知の方法で）構成された制御モジュールを含んでもよい。
【００２２】
次に図４〜図８を参照するが、最初に図５を参照すると、電力供給システム５００（例えば、乗り物においてある電力波形を別の電力波形に変換するためのシステム）の実施形態は、第１のバスバー５０２と、第１のバスバーと接続された複数の半導体パワーデバイス５０４、５０６と、第１のハウジング５０８とを備える。例えば、複数の半導体パワーデバイスは、第１の半導体パワーデバイス５０４および第２の半導体パワーデバイス５０６を含んでもよい。第１のハウジング５０８は、第１のバスバー５０２と接続されており、第１の半導体パワーデバイス５０４は、第１のハウジング５０８内に収納されている。第１のハウジング５０８は、第１の出口５１０を備え、第１の出口５１０は、第１の半導体パワーデバイス５０４の破損物質を、１つ以上の第２の半導体パワーデバイス５０６から離れる方向に向かわせるように構成されている（図示の矢印参照）。より具体的には、電力供給システムの動作中に、第１の半導体パワーデバイスが破損した場合、破損に起因して第１の半導体パワーデバイスによって生成される破損物質は、第１の出口５１０を通過して外へ、１つ以上の第２の半導体パワーデバイス５０６から離れる方向に誘導される。例えば、図示の矢印の方向が、下方向の場合、ハウジングの出口は、破損物質を下方向に向かわせて、破損物質が上方または側方に移動することを防止するために下方を向いている。別の例として、図示の矢印の方向が、側方を向いている場合、ハウジングの出口は、破損物質を側方に向かわせて、破損物質が、上方、直接に下方、他の側方などに移動することを防止するために側方を向いている。このように、本発明の一態様によれば、１つのデバイスの破損は、破損物質と他のデバイスとの相互作用に起因する他のデバイスの連鎖的な破損をもたらさない。
【００２３】
出口５１０は、出口５１０が向いている方向のおかげで、さらには、出口５１０がハウジングにとっての唯一の出口である（少なくとも、一部の実施形態において）おかげで他のデバイスから離れる方向に破損物質を向かわせるように構成されている。すなわち、破損物質は、出口によって形成された、抵抗の最も小さい経路を移動する傾向にある。（理解されるべきは、半導体パワーデバイスが、熱管理のためにハウジングと熱的に接続されてもよく、および／または、これらが、同じ目的のために金属ヒートシンクと接続されてもよいことである。）第１のバスバーが、特定の方向に破損物質を誘導するためにハウジング出口と協働して機能することも理解されるべきである。すなわち、ハウジング、ハウジング出口、およびバスバーの上面は、指定した方向に破損物質を誘導するための、半導体パワーデバイスからハウジングの外部に通じる通路を協働して形成している。
【００２４】
電力供給システムの別の実施形態では、電力供給システムは、第１のバスバー５０２と接続された１つ以上の第２のハウジング５１２をさらに備える。１つ以上の第２の半導体パワーデバイス５０６は、１つ以上の第２のハウジング５１２内に収容される。例えば、複数の第２の半導体パワーデバイスが、それぞれの複数の第２のハウジング内に個別に収容されてもよいし、または、複数の半導体パワーデバイスが、１つの第２のハウジング内に収容されてもよいし、または、これらが組み合わされてもよい。図５では、例として、１つの第２のハウジング５１２内に収容された１つの第２の半導体パワーデバイス５０６が示されている。１つ以上の第２のハウジング５１２は、他の半導体パワーデバイスおよび／または電力供給システムの他の部品から離れる方向に破損物質を向かわせるように構成されたそれぞれの出口５１４（図５では１つが示されている）を有してもよい。
【００２５】
図６は、電力供給システム６００の別の実施形態を示しており、電力供給システム６００は、第１の半導体パワーデバイス５０４および第２の半導体パワーデバイス５０６を収容する（さらなる半導体パワーデバイスが、同様の方法で収容されてもよい）ように構成された第１のハウジング５０８を備える。２つの半導体パワーデバイス５０４、５０６は、別々の区画室内に含まれており、これら別々の区画室のそれぞれは、関連する出口５１０、５１４を有し、また、これらの区画室は、第１のハウジング５０８の内部のリブまたは壁５１６によって形成されている。他の実施形態では、複数の半導体パワーデバイスが、同じ空間／区画室内に収容される。このような実施形態では、同じ空間／区画室の半導体パワーデバイスは、互いの破損物質から保護されていないが、その代わり、ハウジングの出口が、ハウジングのいずれかの半導体パワーデバイスの破損物質を、電力供給システムの他の部品から離れる方向に向かわせる。
【００２６】
本明細書の任意の実施形態において、ハウジング３０４、５０８、５１２などは、ガラス繊維強化熱硬化性ポリエステル（例えば、グラスティック（Ｇｌａｓｔｉｃ）ブランドの）または他の比較的強度が高く、融点が高い高分子から作製されてもよい。出口は、高分子の成形工程の一部において形成されてもよいし、または、機械加工作業によって形成されてもよい、等々。
【００２７】
図７を参照すると、別の実施形態は、電力供給システム７００に関し、電力供給システム７００は、第１のバスバー７０２（例えば、第１の積層バスバー）と、第１のバスバーと接続された第１の半導体パワーデバイス７０４と、第２のバスバー７０８（例えば、第２の積層バスバー）とを備える。第１のバスバー７０２は、第１の平面状の床７１０と、ライザ部７１２であって、該ライザ部の第１の縁７１４において第１の平面状の床にくっついており、第１の平面状の床に対してゼロ度以外の角度７１６（例えば、一実施形態では４５度〜６０度、別の実施形態では４５度〜９０度）を付けられたライザ部７１２と、ライザ部の第２の縁７２０にくっついている第２の平面状の床７１８とを備える。（第２の縁は、第１の縁と平行である。）第２の平面状の床７１８は、第２の平面状の床が第１の平面状の床と平行になるようにゼロ度以外の角度７１６を付けられている。第２のバスバー７０８は、第１のバスバーの第２の平面状の床に取り付けられており、第１の平面状の床と平行である。これにより、第２のバスバーおよび第１のバスバーは、これらの間に空間７２２を形成している。図７の構成は、２つのバスバーの間のおかげで改善された冷却を可能にし、複数のバスバーを有する構成を実現するために、複数のバスバーを有する他のシステムに比べてよりコンパクトな設置面積を有する。例えば、図７の実施形態では、第２のバスバー７０８は、電力供給システムと他の部品（例えば、より大きな電力供給システムの）とを相互接続するための垂直指向のバスバーであってもよい。（すなわち、図７の実施形態は、より大きなシステムのサブシステム（複数の電力コンバータ（これらのうちの少なくとも一部が、第２のバスバー７０８によって相互接続される）を含むシステムにおける１つのインバータまたは他の電力コンバータなど）であってもよい。）
図７に示されているように、電力供給システム７００は、１つ以上の第２の半導体パワーデバイス７２４、７２６をさらに備えてもよく、１つ以上の第２の半導体パワーデバイス７２４、７２６は、１つ以上の第２のハウジング（図示せず）内または第１のハウジング内に収容されてもよい。半導体パワーデバイスは、ファスナ７２８を用いて第１のバスバー７０２と接続されてもよい。２つのバスバーによって形成された空間７２２には、ファスナの部分７３０（例えば、ボルト頭部、ナット、およびワッシャなど）が収まっている。第１のバスバー７０２および第２のバスバー７０８は、１つ以上のファスナ７３２によって接続されてもよい。
【００２８】
電力供給システム７００の別の実施形態では、第１のバスバー７０２の第１の平面状の床７１０は、平面状の第１の上面７３４および第１の上面の反対側の平面状の第１の底面７３６を有する。第２の平面状の床７１８は、平面状の第２の上面７３８および第２の上面の反対側の平面状の第２の底面７４０を有する。第２のバスバー７０８は、第１のバスバー７０２の第２の平面状の床７１８の第２の底面７４０に取り付けられている。第２のバスバーの上面７４２および第１のバスバーの第１の底面７３６は、第２のバスバーと第１のバスバーとの間に空間７２２を形成している。第１の半導体パワーデバイス７０４は、第１のバスバーの第１の上面７３４に取り付けられている。（他の半導体パワーデバイス（存在する場合）もまた、第１の上面に取り付けられてもよい。）
図４は、図７の矢印の視点からの電力供給システム７００の図であるが、第２のバスバー７０８は除去されている。したがって、図４は、下から第１のバスバー７０２を、とりわけ、第１の平面状の床７１０、ライザ部７１２、および第２の平面状の床７１８を示している。
【００２９】
図８を参照すると、電力供給システム８００の別の実施形態は、概ね図７の電力供給システム７００と同様である。電力供給システム８００は、第１のバスバー７０２と接続された第１のハウジング７０６をさらに備え、第１の半導体パワーデバイス７０４は、第１のハウジング７０６内に収納されている。第１のハウジング７０６は、第１の半導体パワーデバイス７０４の破損物質を、電力供給システムの他の半導体パワーデバイスから離れる方向に誘導するための上述したような出口７４４を備える。他の実施形態では、電力供給システム８００は、図５および図６に関連して示され、説明されたような特徴を含む。
【００３０】
図３および図７に関連して理解されるべきは、図７の第１のバスバー７０２および第２のバスバー７０８が、図３の第１のバスバー３０６および第２のバスバー３０２に相当してもよいことである。すなわち、図３の第１のバスバー３０６のそれぞれは、図７の第１のバスバー７０２のように構成されてもよい。（図３の挿入図の詳細を参照。）第２のバスバー３０２は、平面状であってもよいし、または、横断面においてＬ字形状であってもよい。第２のバスバー３０２は、垂直指向であってもよい。さらに、第１のバスバー３０６の特定の向きが、図３には示されているが、他の向きも可能である。またさらに、第１のバスバー３０６は、図３に示されているのとは異なる構成を有してもよい。
【００３１】
実施形態は、電力供給システム（例えば、乗り物においてある電力波形を別の電力波形に変換するためのシステム）に関する。電力供給システムは、第１のバスバーと、第１のバスバーと接続された複数の半導体パワーデバイスと、第１のハウジングとを備える。（本発明の説明のために異なる半導体パワーデバイスを区別するために、複数の半導体パワーデバイスは、「第１の」半導体パワーデバイスおよび１つ以上の「第２の」半導体パワーデバイスを含むものとして特徴付けられてもよい。）第１のハウジングは、第１のバスバーと接続されており、第１の半導体パワーデバイスは、第１のハウジング内に収納されている。第１のハウジングは、第１の半導体パワーデバイスの破損物質を１つ以上の第２の半導体パワーデバイスから離れる方向に向かわせるように構成された第１の出口を備える。
【００３２】
電力供給システムの別の実施形態では、第１の半導体パワーデバイスは、絶縁ゲートバイポーラトランジスタを備える。
【００３３】
電力供給システムの別の実施形態では、１つ以上の第２の半導体パワーデバイスは、第１のハウジング内に収納されている。
【００３４】
電力供給システムの別の実施形態では、システムは、第１のバスバーと接続された１つ以上の第２のハウジングをさらに備える。１つ以上の第２の半導体パワーデバイスは、１つ以上の第２のハウジング内に収容されている。
【００３５】
電力供給システムの別の実施形態では、電力供給システムは、複数の第２の半導体パワーデバイスおよび複数の第２のハウジングを備える。第２の半導体パワーデバイスは、それぞれ個別に、第２のハウジング内に収容されている。
【００３６】
電力供給システムの別の実施形態では、１つ以上の第２のハウジングのそれぞれは、第１の半導体パワーデバイスおよび１つ以上の第２のハウジングの他の第２の半導体パワーデバイスから離れる方向に破損物質を向かわせるように構成されたそれぞれの第２の出口を備える。
【００３７】
電力供給システムの別の実施形態では、第１のハウジングおよび／または１つ以上の第２のハウジングは、ガラス繊維強化ポリエステル材料を含む。
【００３８】
電力供給システムの別の実施形態では、第１のバスバーは、平面状の第１の上面および第１の上面の反対側の平面状の第１の底面を有する第１の平面状の床と、ライザ部であって、該ライザ部の第１の縁において第１の平面状の床にくっついており、第１の平面状の床に対してゼロ度以外の角度を付けられたライザ部と、平面状の第２の上面および第２の上面の反対側の平面状の第２の底面を有する第２の平面状の床とを備える。第２の平面状の床は、ライザ部の第２の縁にくっついている。第２の縁は、第１の縁と平行である。第２の平面状の床は、第２の平面状の床が第１の平面状の床と平行になるようにゼロ度以外の角度を付けられている。電力供給システムは、第１のバスバーの第２の平面状の床の第２の底面に取り付けられた、第１の平面状の床と平行な第２のバスバーをさらに備える。第２のバスバーの上面および第１のバスバーの第１の底面は、第２のバスバーと第１のバスバーとの間に空間を形成している。第１の半導体パワーデバイス、第１のハウジング、および１つ以上の第２の半導体パワーデバイスは、第１のバスバーの第１の上面に取り付けられている。
【００３９】
電力供給システムの別の実施形態では、第１の半導体パワーデバイスおよび１つ以上の第２の半導体パワーデバイスは、それぞれのファスナによって第１のバスバーに取り付けられている。ファスナの部分は、第１のバスバーの第１の底面を貫通して、第２のバスバーと第１のバスバーとの間に形成された空間内に延在している。
【００４０】
別の実施形態は、第１のバスバーと、第１のバスバーと接続された第１の半導体パワーデバイスと、第２のバスバーとを備える電力供給システムに関する。第１のバスバーは、第１の平面状の床と、ライザ部であって、該ライザ部の第１の縁において第１の平面状の床にくっついており、第１の平面状の床に対してゼロ度以外の角度を付けられたライザ部と、ライザ部の第２の縁にくっついている第２の平面状の床とを備える。（第２の縁は、第１の縁と平行である。）第２の平面状の床は、第２の平面状の床が第１の平面状の床と平行になるようにゼロ度以外の角度を付けられている。第２のバスバーは、第１のバスバーの第２の平面状の床に取り付けられており、第１の平面状の床と平行である。
【００４１】
すぐ上で説明されたような、２つのバスバーを有する電力供給システムの別の実施形態では、電力供給システムは、第１のバスバーと接続された第１のハウジングをさらに備え、第１の半導体パワーデバイスが、第１のハウジング内に収納されている。第１のハウジングは、第１の半導体パワーデバイスの破損物質を電力供給システムの他の半導体パワーデバイスから離れる方向に誘導するための上述したような出口を備えてもよい。例えば、電力供給システムの一実施形態では、電力供給システムは、第１のバスバーと接続された１つ以上の第２の半導体パワーデバイスをさらに備える。第１のハウジングは、第１の半導体パワーデバイスの破損物質を１つ以上の第２の半導体パワーデバイスから離れる方向に向かわせるように構成された第１の出口を備える。第１のハウジングは、ガラス繊維強化ポリエステル材料を含んでもよい。
【００４２】
電力供給システムの別の実施形態では、第１のバスバーの第１の平面状の床は、平面状の第１の上面および第１の上面の反対側の平面状の第１の底面を有する。第２の平面状の床は、平面状の第２の上面および第２の上面の反対側の平面状の第２の底面を有する。第２のバスバーは、第１のバスバーの第２の平面状の床の第２の底面に取り付けられている。第２のバスバーの上面および第１のバスバーの第１の底面は、第２のバスバーと第１のバスバーとの間に空間を形成している。第１の半導体パワーデバイスは、第１のバスバーの第１の上面に取り付けられている。
【００４３】
別の実施形態は、乗り物に関する。乗り物は、乗り物プラットフォームと、プラットフォームに取り付けられたエンジンと、エンジンに取り付けられたオルタネータ（このオルタネータは、エンジンによって機械的に駆動されたときに電気を生成するように構成されている）と、乗り物プラットフォームに取り付けられたモータと、本明細書に記載されているような電力供給システム（例えば、電力コンバータ）とを備える。電力コンバータは、モータに給電するために電気を変換するように構成されている。例えば、電力供給システムは、本明細書に記載されているような１つ以上のハウジングならびに／または本明細書に記載されているような第１のバスバーおよび第２のバスバーを備えてもよい。
【００４４】
別の実施形態は、複数の第１のバスバーおよび第２のバスバーを備える電力供給システムに関する。第１のバスバーは、それぞれの第１の平面状の床と、ライザ部であって、該ライザ部の第１の縁において第１の平面状の床にくっついており、第１の平面状の床に対してゼロ度以外の角度を付けられたライザ部と、ライザ部の第２の縁にくっついている第２の平面状の床とを備える。第２の縁は、第１の縁と平行である。第２の平面状の床は、第２の平面状の床が第１の平面状の床と平行になるようにゼロ度以外の角度を付けられている。複数の第１のバスバーは、第１のバスバーの第１の平面状の床が、第２のバスバーと平行になり、第２のバスバーからずれるように、第１のバスバーの第２の平面状の床と第２のバスバーとの接続によって第２のバスバーに取り付けられている。電力供給システムは、それぞれが第１のバスバーの第１の平面状の床と接続された複数の半導体パワーデバイスをさらに備える。別の実施形態では、電力供給システムは、それぞれが第１のバスバーの第１の平面状の床と接続された複数のハウジングをさらに備える。複数の半導体パワーデバイスは、それぞれ、複数のハウジング内に収容されており、複数のハウジングは、半導体パワーデバイスの破損物質を他の半導体パワーデバイスから離れる方向に向かわせるように構成されたそれぞれの出口を備える。第１のバスバーは、第１のバスバーの主軸（図３の詳細な部分の図の左右）が、第２のバスバーの主軸（図３のこの図の上下）に対して垂直となるように、第２のバスバーに沿って配列されてもよい。
【００４５】
上記の説明は、例示のためのものであり、限定的なものではないことが理解されるべきである。例えば、上述した実施形態（および／またはその態様）は、互いに組み合わせて使用されてもよい。さらに、特定の状況または材料を本発明の教示に適合させるために、本発明の範囲から逸脱することなく、多くの修正がなされてもよい。本明細書に記載されている材料の寸法および種類は、本発明の実施形態を例示するためのものであるが、これらは、決して限定的なものではなく、本質的に例である。他の実施形態は、上記の説明の再検討に基づいて明らかになり得る。したがって、本発明の範囲は、添付の特許請求の範囲に関連して規定されるべきである。このような特許請求の範囲は、その均等物の完全な範囲と共に権利を与えられる。
【００４６】
添付の特許請求の範囲において、「を含む（ｉｎｃｌｕｄｉｎｇ）」および「ここでは（ｉｎ  ｗｈｉｃｈ）」という用語は、「を備える（ｃｏｍｐｒｉｓｉｎｇ）」および「この場合（ｗｈｅｒｅｉｎ）」というそれぞれの用語の平易な英語の同義語として使用される。さらに、以下の特許請求の範囲において、「第１の」、「第２の」、「第３の」、「上方の（ｕｐｐｅｒ）」、「下方の（ｌｏｗｅｒ）」、「底部（ｂｏｔｔｏｍ）」、「上部（ｔｏｐ）」  、「上（ｕｐ）」、「下（ｄｏｗｎ）」などの用語は、たんなる表示として使用され、それらの対象に数的または位置的な要件を課すためのものではない。さらに、以下の特許請求の範囲の規定は、ミーンズ・プラス・ファンクション形式では書かれておらず、このような特許請求の範囲の規定が、さらなる構造を欠いた機能の言明が後に続く「〜のための手段（ｍｅａｎｓ  ｆｏｒ）」という句を明白に使用していない限り、米国特許法第１１２条第６項に基づいて解釈されることを意図されていない。
【００４７】
本明細書で使用される場合、単数形で記載され、「ある（ａ）」または「ある（ａｎ）」という語に続く要素またはステップは、複数の前記要素または前記ステップを排除することが明示的に言明されている場合を除いて、複数の前記要素または前記ステップを排除しないものとして理解されるべきである。さらに、本発明の「一実施形態」への言及は、記載されている特徴を同様に組み込んださらなる実施形態の存在を排除するものとして解釈されることを意図したものではない。さらに、特定の性質を有する要素または複数の要素を「備える（ｃｏｍｐｒｉｓｉｎｇ）」か、「含む（ｉｎｃｌｕｄｉｎｇ）」か、または「有する（ｈａｖｉｎｇ）」実施形態は、その性質を有さないさらなるこのような要素を含んでもよい。
【００４８】
本明細書に関連する本発明の精神および範囲から逸脱することなく、上述の電力供給システムに関して一定の変更がなされてもよいことから、上記の説明の主題または添付図面に示されている主題のすべては、本明細書において本発明の観念を例示するたんなる例として解釈されるべきであり、本発明を限定するものとして解釈されるべきではない。
【符号の説明】
【００４９】
１００  乗り物
１０１  乗り物プラットフォーム
１０２  駆動輪
１０３  エンジン
１０４  車軸
１０５、２０２  オルタネータ
１０６  機器室
１０８  空冷ヒートシンク
２００、３００、５００、６００、７００、８００  電力供給システム
２０４  界磁制御器
２０６  整流器
２０８  電力コンバータ
２１０  ＡＣモータ
３０２、７０８  第２のバスバー
３０４  ハウジング
３０６、５０２、７０２  第１のバスバー
５０４、７０４  第１の半導体パワーデバイス
５０６、７２４、７２６  第２の半導体パワーデバイス
５０８、７０６  第１のハウジング
５１０  出口、第１の出口
５１２  第２のハウジング
５１４、７４４  出口
５１６  壁
７１０  第１の平面状の床
７１２  ライザ部
７１４  第１の縁
７１６  ゼロ度以外の角度
７１８  第２の平面状の床
７２０  第２の縁
７２２  空間
７２８、７３２  ファスナ
７３０  ファスナの部分
７３４  第１の上面
７３６  第１の底面
７３８  第２の上面
７４０  第２の底面
７４２  第２のバスバーの上面
【図１】
0006047175.tif 000002
【図２】
0006047175.tif 000003
【図３】
0006047175.tif 000004
【図４】
0006047175.tif 000005
【図５】
0006047175.tif 000006
【図６】
0006047175.tif 000007
【図７】
0006047175.tif 000008
【図８】
0006047175.tif 000009